(57)【要約】【課題】妨害波を除去するための簡単で安価なアンテナを提供する。【解決手段】アンテナを水平方向に０．８〜１．１λだけ離して配置し，当該アンテナからの出力を位相合成して出力する位相調整器を備えたアンテナにおいて，上記位相調整器を構成する第１の伝送経路は，位相差が一定間隔でもって変更できるよう形成された複数の線路長を有する伝送線路を設けると共に，当該伝送線路には，これらの伝送線路を選択可能とする複数の選択手段を備えさせ，上記位相調整器を構成する第２の伝送経路は，少なくとも上記第１の伝送経路に備えさせた選択手段によって構成される複数の伝送経路の内で一番短い線路長よりも長い線路長に構成すると共に，上記選択手段の特定条件において，上記第１の伝送経路と上記第２の伝送経路の線路長が等しくなるように構成する。【選択図】  図１
2005006032.tif 000002
【特許請求の範囲】
【請求項１】
アンテナを水平方向に２つ配置し，当該アンテナからの出力を位相合成して出力する位相調整器を備えたアンテナにおいて，
上記位相調整器は，２つの入力端子と，第１の伝送経路及び第２の伝送経路と，これらの伝送経路と上記位相調整器の入力端子との間に介設した，上記位相調整器の一方の入力端子に入力される一方のアンテナからの信号を，上記第１の伝送経路若しくは第２の伝送経路に接続するか，上記位相調整器の他方の入力端子に入力される他方のアンテナからの信号を，上記第２の伝送経路若しくは第１の伝送経路に接続するか，を切替自在とする切替手段と，上記各伝送経路から出力された信号を合成する合成回路と，出力端子とからなり，
上記第１の伝送経路は，任意の長さに形成された複数の線路長を有する伝送線路を設けると共に，当該伝送線路には，これらの伝送線路を選択可能とする複数の選択手段を備え，
上記第２の伝送経路は，少なくとも上記第１の伝送経路に備えさせた選択手段によって構成される複数の伝送経路の内で一番短い線路長よりも長い線路長に構成すると共に，上記選択手段の特定条件において，上記第１の伝送経路と上記第２の伝送経路の線路長が等しくなるように構成して，各アンテナからの信号を合成して出力するようにしたことを特徴としたアンテナ。
【請求項２】
上記第１の伝送経路は，位相差が一定間隔でもって変更できるよう形成された複数の線路長を有する伝送線路を設けると共に，当該伝送線路には，これらの伝送線路を選択可能とする選択手段を備えさせたことを特徴とした請求項１に記載のアンテナ。
【請求項３】
上記第１及び第２の伝送経路の切替手段及び上記第１の伝送経路における伝送線路の選択手段はスライドスイッチで構成されたことを特徴とした請求項１又は請求項２に記載のアンテナ。
【請求項４】
上記アンテナにおいて，
当該アンテナの導波器側の端部若しくは反射器側の端部，又は両方の端部に，上記アンテナの各アンテナブームを一定間隔で平行配置するための補助ブームを介設したことを特徴とした請求項１乃至請求項３の何れかに記載のアンテナ。
【請求項５】
上記アンテナにおいて，
当該アンテナの受信周波数の波長をλとすると，上記各アンテナの間隔は０．８〜１．１λであると共に，各アンテナからの信号を上記位相調整器でもって同相で合成したときに，上記アンテナの中心から第１ヌルポイントの方向を見たヌルアングルは２５〜３５°となるように構成したことを特徴とした請求項１乃至請求項４の何れかに記載のアンテナ。
【請求項６】
上記位相調整器の第１の伝送経路及び第２の伝送経路は回路基板によるストリップラインで構成されたことを特徴とした請求項１乃至請求項５の何れかに記載のアンテナ。
【発明の詳細な説明】
【０００１】
【発明の属する技術分野】
本発明は，主にテレビジョン放送の受信に利用されるアンテナに関し，詳しくは妨害波を排除する指向性を得るためのアンテナの位相合成回路，構造，に関する。
【０００２】
【従来の技術】
従来の妨害波を排除する指向性を持つアンテナとして，２つのアンテナで受信した信号を逆位相で合成することにより，ヌルアングルを得るヌルアングルアンテナがあった。（例えば，特許文献１参照）
【０００３】
【参考文献】
登録実用新案公報第３０２１２４１号
【０００４】
【発明が解決しようとする課題】
この従来のアンテナによると，２つのアンテナで受信した信号を逆位相で合成することにより，特定の方向にヌルアングルを設けることはできるものの，任意の方向に対してヌルアングルを得ることができるような構成とはなっていなかった。
これに対して，任意の方向にヌルアングルを得るためには，各アンテナからの給電線の線路長の差を細かく調整したり，２つアンテナの間隔を細かく調整する必要があり，調整作業に多くの時間を要していた。
こうした問題点に鑑み，本発明の目的は，スイッチの操作のみでヌルアングルを広範囲にしかも簡単に調整できる，アンテナを提供しようとするものである。
他の目的は，ヌルアングルを調整する際に，２つのアンテナの接続を換えることなく，希望する電波の到来方向に対して左右どちらにでもヌルアングルを設定できるアンテナを提供しようとするものである。
他の目的は，ヌルアングルの方向調整に使用する位相調整回路に設けられた伝送線路選択手段や入力切換手段のアイソレーションを改善することにより，トラップの発生を抑制して，安定した性能のヌルポイントアンテナを提供しようとするものである。
他の目的は，受信周波数の波長をλとした時に２つのアンテナの距離を０．８〜１．１λにすると共に，２つのアンテナの信号を，同じ性能で同じ長さの伝送線路で合成するときの第１ヌルアングルを２５〜３５°にする条件により，ヌルアングルの調整に使用する選択手段の数を最適化したアンテナを提供しようとするものである。
他の目的は，風や外力の影響により２つのアンテナの角度が容易にずれたり捩れたりしないように２つのアンテナのブームを補助ブームで固定する構造のアンテナを提供しようとするものである。
【０００５】
【課題を解決するための手段】
上記課題を解決するために，請求項１の発明は，アンテナを水平方向に２つ配置し，当該アンテナからの出力を位相合成して出力する位相調整器を備えたアンテナにおいて，上記位相調整器は，２つの入力端子と，第１の伝送経路及び第２の伝送経路と，これらの伝送経路と上記位相調整器の入力端子との間に介設した，上記位相調整器の一方の入力端子に入力される一方のアンテナからの信号を，上記第１の伝送経路若しくは第２の伝送経路に接続するか，上記位相調整器の他方の入力端子に入力される他方のアンテナからの信号を，上記第２の伝送経路若しくは第１の伝送経路に接続するか，を切替自在とする切替手段と，上記各伝送経路から出力された信号を合成する合成回路と，出力端子とからなり，上記第１の伝送経路は，任意の長さに形成された複数の線路長を有する伝送線路を設けると共に，当該伝送線路には，これらの伝送線路を選択可能とする複数の選択手段を備え，上記第２の伝送経路は，少なくとも上記第１の伝送経路に備えさせた選択手段によって構成される複数の伝送経路の内で一番短い線路長よりも長い線路長に構成すると共に，上記選択手段の特定条件において，上記第１の伝送経路と上記第２の伝送経路の線路長が等しくなるように構成される。
【０００６】
請求項２の発明は，上記第１の伝送経路は，位相差が一定間隔でもって変更できるよう形成された複数の線路長を有する伝送線路を設けると共に，当該伝送線路には，これらの伝送線路を選択可能とする選択手段を備えるように構成される。
【０００７】
請求項３の発明は，上記請求項１若しくは請求項２に記載の第１及び第２の伝送経路の切替手段及び上記第１の伝送経路における伝送線路の選択手段はスライドスイッチで構成される。
【０００８】
請求項４の発明は，上記請求項１乃至請求項３の何れかに記載の上記アンテナにおいて，当該アンテナの導波器側の端部若しくは反射器側の端部，又は両方の端部に，上記アンテナの各アンテナブームを一定間隔で平行配置するための補助ブームを介設した。
【０００９】
請求項５の発明によれば，上記請求項１乃至請求項４の何れかに記載の上記アンテナにおいて，当該アンテナの受信周波数の波長をλとすると，上記各アンテナの間隔は０．８〜１．１λであると共に，各アンテナからの信号を上記位相調整器でもって同相で合成したときに，上記アンテナの中心から第１ヌルポイントの方向を見たヌルアングルは２５〜３５°となるように構成した。
【００１０】
請求項６の発明によれば，上記位相調整器の第１の伝送経路及び第２の伝送経路は回路基板によるストリップラインで構成した。
【００１１】
【発明の実施の形態】
テレビジョン放送の受信に利用されるアンテナに関して，当該アンテナを距離Ｌ離して平行に配置した場合，アンテナの方向に対する妨害波の到来方向の角度をθとすると，２つのアンテナに到来する妨害波の経路差はＬｓｉｎθとなり，受信した信号に位相のずれを生じる。この２つのアンテナの信号を合成するとき，合成される信号の位相差を１８０°にすることにより，妨害波の到来方向の感度を小さくするアンテナがヌルアングルアンテナとして知られている。
本願の発明は，簡単な構成でしかもアイソレーションのよい切替手段を用いて，特性の安定性を損なわずに，ヌルアングルの調整が可能になアンテナを提供ことで妨害波よる影響を排除できるようにするものであり，簡単な構成でもって設置時の強度をもたせたアンテナを提供する。
【００１２】
以下にこのようなアンテナ関して，本発明を具体化した実施形態の例を，図面を基に詳細に説明する。
図１は本発明に係るアンテナ１を用いたシステム構成例を示す。
１ａと１ｂはアンテナを示し，通常は同じ性能のものを平行に設置される。２０は位相調整器を示す。５と６は位相調整器の入力端子，７は出力端子を示す。４と３は同軸ケーブルを示し，上記アンテナ１と位相調整器２０を接続している。通常，これら２本の同軸ケーブルは同じ性能で同じ長さのものが使用される。位相調整器２０の出力端子７には同軸ケーブル２が接続され，テレビジョン受像機８に出力信号を伝送する。
【００１３】
次に，図２を用いて位相調整器２０の回路図を説明する。
位相調整器２０には，水平に配置されたアンテナを後側方向から見たときに，右側に配置されるアンテナ１ｂにおいて受信した信号を入力する右側アンテナ入力端子５と，同様に左側に配置されるアンテナ１ａにおいて受信した信号を入力する左側アンテナ入力端子６が備えられている。当該各入力端子５，６から入力された信号は，入力切換手段２０１を介して，第１の伝送経路２１６に接続されるか，第２の伝送経路２１７に接続される。本願の実施例では，上記入力切替手段２０１は例えばスライドスイッチで構成され，当該スイッチを左側に切替えることで右側アンテナ入力端子５は，第２の伝送経路２１７に接続されるし，左側アンテナ入力端子６は，第１の伝送経路２１６に接続されるように構成されており，上記スライドスイッチ２０１を切替えることで入力された信号の伝送経路を切替可能にしている。次に各伝送経路２１６，２１７を通過した信号は，周知の混合器２０７等により合成されて出力端子７から出力される。
【００１４】
次に上記第１の伝送経路２１６について詳しく説明する。この第１の伝送経路２１６には任意の長さに形成された複数の伝送線路２０２ａ，２０３ａ，２０４ａ，２０５ａが回路基板（図示されていない）上にストリップラインで形成されている。上記位相調整器の第１の伝送経路及び第２の伝送経路はプリント基板や誘電体基板等によるストリップラインで構成されている。
上記伝送線路２１６には夫々伝送線路の選択手段２０２，２０３，２０４，２０５が接続されている。上記選択手段には夫々更に伝送線路２０２ｂ，２０３ｂ，２０４ｂ，２０５ｂが接続されており，上記選択手段によって上記第１の伝送経路２１６の線路長を選択することができる。例えば，伝送線路２０２ａ，２０３ａ，２０４ａ，２０５ａの線路長を一定長さ毎に異なるように形成すると，例えばスライドスイッチ２０２をＯＮ，スライドスイッチ２０３，２０４，２０５をＯＦＦにしたときの第１の伝送経路２１６の線路長と，スライドスイッチ２０３をＯＮ，スライドスイッチ２０２，２０４，２０５をＯＦＦにしたときの第１の伝送経路２１６の線路長とは，当該第１の伝送経路２１６を通過する信号の位相が一定間隔で変化することになる。
【００１５】
次に上記第２に伝送線路２１７について説明する。本願の実施例においては，この第２の伝送経路２１７の線路長は，上記第１の伝送経路２１６の線路長を最短に選択した時，即ちスライドスイッチ２０２，２０３，２０４，２０５をＯＦＦにした時の第１の伝送経路２１６の線路長より長く，上記第１の伝送経路２１６の線路長を最短より次に長くなるように選択した時，即ちスライドスイッチ２０２をＯＮ，２０３，２０４，２０５をＯＦＦにした時の第１の伝送経路２１６の線路長と等しくなるように形成されている。図２はこのときの様子を模式的に理解できるように書いた回路図であり，第２の伝送経路２１７は伝送線路２１１，２１２，２１３，２１４といった伝送線路を介して，上記第１の伝送経路２１６の選択手段の特定条件における線路長と等しい長さに形成されているのである。上記第２の伝送経路２１７もプリント基板上にストリップラインで形成されている。上記伝送経路を形成したプリント基板は金属製のシールドケース２１８に収納されて高周波信号や妨害波による影響を防止している。この金属製のシールドケース２１８は樹脂ケース２１９に収納されて位相調整器２０を構成している。
【００１６】
上述のようにこのアンテナ１においては，アンテナ１ｂで受信された信号は同軸ケーブル４により位相調整器２０の入力端子５へ入力され，アンテナ１ａで受信された信号は同軸ケーブル３により位相調整器２０の入力端子６へ入力される。
位相調整器２０へ入力されたそれぞれの信号は，入力切換手段２０１を経てそれぞれ第１の伝送経路２１６，及び第２の伝送経路２１７を通り，それぞれの電気長に応じた位相差をもって合成される。第１の伝送経路２１６には任意に設定された複数の伝送線路とそれらに対応した複数の伝送線路切換手段が設けられ，調整するヌルアングルに応じて適宜選択できるようになっている。
【００１７】
本発明の実施例によれば，入力切替手段２０１を左側にした時に，水平に配置された２つのアンテナを後側方向から見たときに，右側に配置されるアンテナ１ｂにおいて受信した信号は，上記第２の伝送経路２１７に接続され，左側に配置されるアンテナ１ａにおいて受信した信号は，上記第１の伝送経路２１６に接続される。これによって，ヌルアングルはアンテナ１の取り付け方向（言い換えれば，希望波信号の到来方向）に対して右側に形成され，右側方向からの妨害波に対応できる。また入力切替手段２０１を右側にした時に，水平に配置された２つのアンテナを後側方向から見たときに，右側に配置されるアンテナ１ｂにおいて受信した信号は，上記第１の伝送経路２１６に接続され，左側に配置されるアンテナ１ａにおいて受信した信号は，上記第２の伝送経路２１７に接続される。これによって，ヌルアングルはアンテナ１の取り付け方向（言い換えれば，希望波信号の到来方向）に対して左側に形成され，左側方向からの妨害波に対応できる。
【００１８】
このようなアンテナ装置１では，ヌルアングルを例えば１０°より小さく調整できるように設計すると，主ビームの利得が３ｄＢ以上下がり，１本のアンテナを使用する場合の利得を下回ってしまい受信レベルが下がってしまって問題がある。また，ヌルアングルを例えば４０°より大きく調整できるように設計すると，１本のアンテナを使用する場合と比較しても妨害波除去能力の改善度がそれほど変わらないことから考えてメリットが無い。
【００１９】
そこで本願の実施例においては，ヌルアングルが１０〜４０°の範囲で調整でき，しかも，調整を簡単にするため，延いてはアンテナのコストを安価にすることができるよう，位相合成器２０７へ入力される信号の位相差を切り換えるステップ数（即ちスライドスイッチの数であり，ヌルアングルの可変ステップ数である。）をなるべく少なくすると共に，このスイッチによって，たとえヌルアングルを妨害波の方向に最適に向けられなくても，このアンテナ１の妨害波排除能力が適度な値となって（即ち取り付け，調整の容易性）妨害波が除去できるように構成し，更に，位相差を切替えるための切替手段においては，従来のロータリースイッチにおいて問題となったアイソレーションの悪さによって帯域内にトラップが生じるなどの特性の劣化といった問題を避けるために，伝送線路の切替にはスライドスイッチを用い，更に互いに最適な間隔を置いて配設させて特性の安定したアンテナとなるように構成したものである。
【００２０】
本案のアンテナ１はヌルアングルを左右それぞれ１０〜４０°の範囲で調整できるように構成している。この実施例においては，２つのアンテナ１ａ，１ｂの間隔を０．８〜１．１λ（例えば，１λ）とし，２つのアンテナからの信号が同相（位相差０°）で合成されたときのヌルアングルを２５〜３５°（例えば，３０°）になるように設計されている。
【００２１】
更に，アンテナ１を構成する位相調整器２０においては，第１の伝送経路２１６に備えさせた伝送線路の選択手段２０２〜２０５により，位相調整器２０を構成する合成器２０７へ入力する信号（即ち，第１の伝送経路を通過した信号）の位相差を略３０°ステップで選択できるように位相調整器２０の伝送線路の長さが形成されている。即ち，第１の伝送経路２１６に備えさせた，伝送線路２０２ａ，２０３ａ，２０４ａ，２０５ａの線路長が，上記第１の伝送経路を通過する信号の位相を３０°ずつ変化するように形成されているので，選択手段２０２，２０３，２０４，２０５を適宜選択することで位相を３０°ステップで切換えて選択できるのである。
【００２２】
さらに，上記合成器へ入力する時の位相差が０°を超えるような場合（例えば＋３０°）にも対応できるように，第２の伝送経路２１７は第１の伝送経路２１６に備えさせた選択手段によって構成される複数の伝送経路の内で一番短い線路長よりも長い線路長に構成している。例えば本願の実施例では，第１の伝送経路２１６の選択手段２０２，２０３，２０４，２０５をＯＦＦに設定すると，第２の伝送経路２１７は，伝送線路２１１の線路長分だけ第２の伝送経路２１７のほうが線路長が長くなるように構成させてある。
【００２３】
これによって，位相調整器２０を構成する合成器２０７に入力される２つの伝送経路の位相差を，位相差無しの０°を基準として−９０°，−６０°，−３０°，０°，＋３０°と広範囲に調整でき，これに対応して，ヌルアングルを１０〜４０°の広い範囲内において例えば５°間隔で調整することができると共に，上記ヌルアングルの可変範囲において，また，合成器２０７へ入力する時の位相差を略３０°ステップで選択できるように，位相調整器２０の伝送線路の長さを設計しているので，妨害波の到来方向がヌルアングルに完全に一致しない時でも，その近傍に合わせることにより，十分な妨害波除去能力（単体のアンテナからの改善度）１０ｄＢを有することができるように構成されているのである。
【００２４】
２つの伝送線路の位相差と２つのアンテナのヌルアングルの変化の様子を図３に示す。
図２の回路図において，
伝送線路切換手段２０２から伝送線路切換手段２０５を全てＯＦＦ側に操作すると，第１の伝送経路に対する第２の伝送経路の位相差は−３０°となる。このときのヌルアングルは略２０°である。
伝送線路切換手段２０２をＯＮ側に，他の伝送線路切換手段を全てＯＦＦ側に操作すると，第１の伝送経路２１６に対する第２の伝送経路２１７の位相差は０°となる。このときのヌルアングルは略３０°である。
伝送線路切換手段２０３をＯＮ側に，他の伝送線路切換手段全てＯＦＦ側に操作すると，第１の伝送経路２１６に対する第２の伝送経路２１７の位相差は＋３０°となる。このときのヌルアングルは略１５°である。
伝送線路切換手段２０４をＯＮ側に，他の伝送線路切換手段全てＯＦＦ側に操作すると，第１の伝送経路に対する第２の伝送経路の位相差は＋６０°となる。このときのヌルアングルは略１５°である。
伝送線路切換手段２０５をＯＮ側に，他の伝送線路切換手段全てＯＦＦ側に操作すると，第１の伝送経路に対する第２の伝送経路の位相差は＋９０°となる。このときのヌルアングルは略１０°である。
【００２５】
なお，上記の説明では，ＯＮ側に操作する伝送線路切換手段２０２〜２０５の中から１つの伝送線路切換手段を操作する例で示したが，複数の伝送線路切換手段を適宜組み合わせて操作しても良い。
また，上記の説明は希望波の到来方向へアンテナを向けたとき，右側のヌルアングルを調整する例を示したが，入力切換手段２０１を右側に操作することにより，希望波の到来方向へアンテナを向けたとき，同様に左側のヌルアングルを調整することができる。
【００２６】
ここで，合成器２０７へ入力する時の位相差のステップを３０°より大きくすると，
十分な妨害波除去能力が得られなくなり，逆に合成器２０７へ入力する時の位相差のステップを３０°より小さくすると伝送線路切換手段と伝送線路の数が多くなるため，位相調整器２０が複雑になり，コストも上がる。
図４に示すアンテナは，当該アンテナの受信周波数の波長をλとすると，アンテナ１ａ，アンテナ１ｂの間隔は略１λである。また，図２に示す位相調整器２０の回路図において伝送線路切換手段２０２をＯＮ側に，他の送線路切換手段を全てＯＦＦ側に操作すると，第１の伝送経路２１６に対する第２の伝送経路２１７の位相差は０°となり同相で合成される。このとき上記アンテナの中心からの第１ヌルポイントの方向を見たヌルアングルは略２８°である。
なお，図４に示すアンテナは１４素子のものを示したが，これに限らず他の素子数のアンテナでも良い。
【００２７】
図４において２２１，２２２はアンテナのブームを示す。図５において，２２３は反射器を示し，２２４は導波器を示す。２２０は補助ブームを示す。補助ブーム２２０は樹脂などの電波が透過する材料で作られていてその端部には，アンテナのブームに固定するための図示されていない周知の固定手段が設けられている。図５に示すように，補助ブーム２２０を各アンテナのブームの反射器側の端部のようにマストから離れた位置に取付けることにより，風や外力の影響により２つのアンテナの角度のずれや，捩れを防止している。更に加えて，アンテナの間隔を平行に維持できるため，ヌルアングルの調整が正確にできる。なお，補助ブーム２２０を取付ける位置は各アンテナのブームの反射器側の端部のみに限らず，各アンテナのブームの導波器側の端部または，その両方に取付けても良い。
なお，入力切換手段２０１及び伝送線路切換手段２０２〜２０５は，スライドスイッチを使用することにより，各切換手段の間隔を離して配置できるので，各伝送線路切換手段及び各伝送線路における信号のアイソレーションの劣化を防止している。
尚，本発明は上記実施の形態に限定されるものではなく，本発明の趣旨を逸脱しない範囲で種々変更して実施することも可能である。
【００２８】
【発明の効果】
以上詳述したように，請求項１の発明によれば，アンテナを水平方向に２つ配置し，当該アンテナからの出力を位相合成して出力する位相調整器を備えたアンテナにおいて，上記位相調整器は，２つの入力端子と，第１の伝送経路及び第２の伝送経路と，これらの伝送経路と上記位相調整器の入力端子との間に介設した，上記位相調整器の一方の入力端子に入力される一方のアンテナからの信号を，上記第１の伝送経路若しくは第２の伝送経路に接続するか，上記位相調整器の他方の入力端子に入力される他方のアンテナからの信号を，上記第２の伝送経路若しくは第１の伝送経路に接続するか，を切替自在とする切替手段と，上記各伝送経路から出力された信号を合成する合成回路と，出力端子とからなり，上記第１の伝送経路は，任意の長さに形成された複数の線路長を有する伝送線路を設けると共に，当該伝送線路には，これらの伝送線路を選択可能とする複数の選択手段を備え，上記第２の伝送経路は，少なくとも上記第１の伝送経路に備えさせた選択手段によって構成される複数の伝送経路の内で一番短い線路長よりも長い線路長に構成すると共に，上記選択手段の特定条件において，上記第１の伝送経路と上記第２の伝送経路の線路長が等しくなるように構成して，各アンテナからの信号を合成して出力するように構成したので，ヌルアングルを１０〜４０°の広範囲にわたり，自在に，しかも簡単に調整することができる。
【００２９】
請求項２の発明によれば，上記第１の伝送経路は，位相差が一定間隔でもって変更できるよう形成された複数の線路長を有する伝送線路を設けると共に，当該伝送線路には，これらの伝送線路を選択可能とする選択手段を備えさせたので，ヌルアングルの調整を簡単にすることがですることができる。更に，ヌルアングルを妨害波の方向に最適に向けられなくても，妨害波排除能力が適度な値にすることができる。
【００３０】
請求項３の発明によれば，上記請求項１又は請求項２に記載の上記第１及び第２の伝送経路の切替手段及び上記第１の伝送経路における伝送線路の選択手段はスライドスイッチで構成したので，各伝送線路切換手段及び各伝送線路における信号のアイソレーションの劣化を防止することができる。
【００３１】
請求項４の発明によれば，上記請求項１乃至請求項３の何れかに記載の上記アンテナにおいて，当該アンテナの導波器側の端部若しくは反射器側の端部，又は両方の端部に，上記アンテナの各アンテナブームを一定間隔で平行配置するための補助ブームを介設したので，風や外力の影響により２つのアンテナの角度のずれや，捩れを防止できる。更に加えて，アンテナの間隔を平行に維持できるため，ヌルアングルの調整が正確にできる。
【００３２】
請求項５の発明によれば，上記請求項１乃至請求項４の何れかに記載の上記アンテナにおいて，当該アンテナの受信周波数の波長をλとすると，上記各アンテナの間隔は０．８〜１．１λであると共に，各アンテナからの信号を上記位相調整器でもって同相で合成したときに，上記アンテナの中心から第１ヌルポイントの方向を見たヌルアングルは２５〜３５°となるように構成したので，伝送線路切換手段と伝送線路の数を少なくすることができ，位相調整器２０をシンプルに構成でき，コストも下げることができる。
【００３３】
請求項６の発明によれば，上記位相調整器の第１の伝送経路及び第２の伝送経路はプリント基板によるストリップラインで構成したため，薄型に構成でき，精度良く量産することが可能となる。
【図面の簡単な説明】
【図１】本願アンテナを用いたシステム例を示す。
【図２】本願のアンテナを構成する位相調整器の回路図を示す。
【図３】本願のアンテナにおいて，位相調整器の位相調整とその調整に伴うヌルアングルの変化を示す。
【図４】本願のアンテナの取付例を示す斜視図である。
【図５】本願のアンテナを上方から見た図であり，希望波と妨害波との関係を示す図である。
【図６】本願の位相調整器の構成を示す図である。
【符号の説明】
１…アンテナ装置，１ａ…左側アンテナ，１ｂ…右側アンテナ，２…同軸ケーブル，３…同軸ケーブル，４…同軸ケーブル，５…右側アンテナ入力端子，６…左側アンテナ入力端子，７…出力端子，８…テレビジョン受像機，２０…位相調整器，２０１…伝送経路切替手段，２０２〜２０５…伝送線路選択手段，２０２ａ〜２０５ａ…伝送線路，２０２ｂ〜２０５ｂ…伝送線路，２０６…コンデンサ，２０７…合成回路，２０８…コンデンサ，２１１〜２１４…伝送線路，２１５…コンデンサ，２１６…第１の伝送経路，２１７…第２の伝送経路，２１８…シールドケース，２１９…樹脂ケース，２２０…補助ブーム，２２１…ブーム，２２２…ブーム，２２３…反射器，２２４…導波器，３０１…位相差−９０°の時の方位角と相対利得，３０２…位相差−６０°の時の方位角と相対利得，３０３…位相差−３０°の時の方位角と相対利得，３０４…位相差０°の時の方位角と相対利得，３０５…位相差＋３０°の時の方位角と相対利得
【図１】
2005006032.tif 000003
【図２】
2005006032.tif 000004
【図３】
2005006032.tif 000005
【図４】
2005006032.tif 000006
【図５】
2005006032.tif 000007
【図６】
2005006032.tif 000008